(57)【要約】      （修正有）【課題】携帯用手持ち式電子装置のための保護用ケーシングとスタンドとの組み合わせ装置を提供する。【解決手段】該組み合わせ装置は、ベースと、該ベースに回動可能に接続されたカバー１２と、を含み、前記電子装置を入れるように、前記ベースと前記カバーとの間に内部空間が形成されており、前記組み合わせ装置は、前記組み合わせ装置の中心に沿って切り取られた横の切断面に沿って少なくとも一つの三角形を形成させるように、前記カバーは前記ベースに対して回動することができる。この三角形部分を電子装置を支えるスタンドとして使用する。【選択図】図４
0003165434.tif 000002
【実用新案登録請求の範囲】
【請求項１】
携帯用手持ち式電子装置のための保護用ケーシングとスタンドとの組み合わせ装置であって、
前記組み合わせ装置は、ベースと、前記ベースに回動可能に接続されたカバーとを含み、前記電子装置を入れるように、前記ベースと前記カバーとの間には、内部空間が形成されており、
前記組み合わせ装置は、前記組み合わせ装置の中心線に沿って切り取られた横の切断面に沿って少なくとも一つの三角形を具備する構成を形成させるように、前記カバーは、前記ベースに対して回動することができることを特徴とする組み合わせ装置。
【請求項２】
前記組み合わせ装置は、ポケットの形状を呈し、前記カバーは、前記ベースに固定的に付着した固定部分と前記ベースを覆う自由部分とを含み、前記固定部分は、前記ベースの対応した部分と共にベースの他の部分に対して回動することができ、前記自由部分は、前記ベースに対して回動することができることを特徴とする請求項１に記載の組み合わせ装置。
【請求項３】
前記ベースと前記カバーの自由部分との間には、選択的に前記ベースと前記自由部分を固定するための第１のファスナが少なくとも設けられることを特徴とする請求項２に記載の組み合わせ装置。
【請求項４】
タブは前記カバーの固定部分の端部で前記ベースから外側へ延在することができ、選択的に前記タブと前記固定部分とを固定するために、前記タブと前記カバーの固定部分との間には、少なくとも第２のファスナが設けられていることを特徴とする請求項３に記載の組み合わせ装置。
【請求項５】
前記カバーの自由部分と前記タブとを選択的に固定するために、前記カバーの自由部分に形成された前記第１のファスナの部分は、前記タブに形成された前記第２のファスナの部分と互いに接合することを特徴とする請求項４に記載の組み合わせ装置。
【請求項６】
前記カバーの自由部分で覆われている前記ベースの部分には、１本以上のリブが形成されていることを特徴とする請求項２に記載の組み合わせ装置。
【請求項７】
前記組み合わせ装置は、箱の形状を呈し、前記カバーの一端は、前記ベースに回動可能に接続され、前記ベースに接続された縁部に対応した前記カバーの縁部には、突出部が設けられ、前記突出部の高さは、前記カバーの厚さより大きいことを特徴とする請求項２に記載の組み合わせ装置。
【請求項８】
前記カバーが前記ベースにかぶせ合う場合、前記突出部を収納するように、前記ベースの対応した縁部には、くぼみが形成されていることを特徴とする請求項７に記載の組み合わせ装置。
【請求項９】
前記カバーの外面には、木目が形成されることを特徴とする請求項７に記載の組み合わせ装置。
【請求項１０】
前記組み合わせ装置は、箱の形状を呈し、一対以上の溝は前記ベースの外面に形成され、前記カバーの２つの側面を収納するために、各対の溝は用いられることを特徴とする請求項１に記載の組み合わせ装置。
【請求項１１】
前記カバーは可撓性材料で作られていることを特徴とする請求項１０に記載の組み合わせ装置。
【請求項１２】
一対の切込みは前記カバーの内面に形成され、それぞれの切込みは、前記ベースに接続された縁部に隣接した前記カバーの角の位置から前記カバーの縁部に対応した中間位置へ延在し、前記切込みにおける前記カバーの厚さが当該カバーの他の部位の厚さより小さいことを特徴とする請求項１１に記載の組み合わせ装置。
【請求項１３】
外部から前記電子装置におけるボタン、スイッチ、および／または、ポートを操作するために、前記ベースと前記カバーと上には、互いに位置合わせされた複数の開口部が設けられることを特徴とする請求項７または１０に記載の組み合わせ装置。
【考案の詳細な説明】
【技術分野】
【０００１】
本実用新案は、全体として携帯用手持ち式電子装置のための保護用ケーシングとスタンドの組み合わせ装置に関するものである。
【背景技術】
【０００２】
携帯用手持ち式電子装置の使用が便利であるので、ｉＰｈｏｎｅ（登録商標）、ＰＤＡ、デジタル・メディアプレーヤー、デジタル・レコーダ、携帯用テレビ、及び手持ち式コンピュータなどの携帯用手持ち式電子装置は、現代生活においてますます普及している。
【０００３】
そのような電子装置は、上品な仕上げである滑らかで美しい表面で覆われており、表面の破損を防ぐために、電子装置が使用されない場合、保護用ケーシングに入れる必要である。
【０００４】
電子装置が使用される場合、ユーザは、通常、片手で電子装置をつかんで、もう片方の手で電子装置に対して操作を行う。それから、操作が終わった後に、ユーザは、通常、電子装置を据え置き、自動的に作動させる。例えば、デジタル・メディアプレーヤーにおける操作が終わった後に、ユーザは、通常、このデジタル・メディアプレーヤーを据え置き、曲を自動的に演奏させる。しかし、電子装置が机に直接的に置かれる場合、電子装置の美しい表面が劣化又は損害を被りやすい。さらに電子装置の滑らかな表面のため、電子装置が机からすべり落ち、重大な被害を被る危険がある。したがって、当該電子装置を安定して支えるのに、スタンドが必要である。
【０００５】
その上、また、このような携帯用手持ち式電子装置の新しい機能を潜在取引先に示すために、電子装置を支えるためのスタンドが要求される。
【０００６】
市場で一部の保護用ケーシングとスタンドとが既にあるが、このような保護用ケーシングとスタンドとが互いに独立しており、しかも伝統的なスタンドは折り畳むことができないので、わりに多くのスペースを占めるであろう。したがって、保護用ケーシングとスタンドとに電子装置を配置することが高価であり、それらの使用にも不便である。
【考案の概要】
【考案が解決しようとする課題】
【０００７】
したがって、保護用ケーシングとスタンドとを組み合わせることが必要であり、これにより、携帯用手持ち式電子装置の保護用ケーシングとスタンドとの組み合わせ装置を形成し、また、この組み合わせ装置は、折り畳んだ状態にある場合、電子装置の保護用ケーシングとして使用されることができ、そして、展開された状態にある場合、電子装置を支えるためのスタンドとして使用されることができる。
【課題を解決するための手段】
【０００８】
本考案の目的は、既存技術に存在した問題に対して、携帯用手持ち式電子装置のための保護用ケーシングとスタンドとの組み合わせ装置を提供することにあり、前記組み合わせ装置は、ベースと、前記ベースに回動可能に接続されたカバーと、を含み、前記電子装置を入れるように、前記ベースと前記カバーとの間に内部空間が形成されており、前記組み合わせ装置は、前記組み合わせ装置の中心に沿って切り取られた横の切断面に沿って少なくとも一つの三角形を具備する構成を形成させるように、前記カバーは前記ベースに対して回動することができる。
【０００９】
本考案の一つの実施形態においては、前記組み合わせ装置は、ポケットの形状を呈することができ、前記カバーは、前記ベースに固定的に付着した固定部分と前記ベースを覆う自由部分とを含み、前記固定部分は、前記ベースの対応した部分と共に前記ベースの他の部分に対して回動することができ、前記自由部分は、前記ベースに対して回動することができる。
【００１０】
好ましくは、前記ベースと前記カバーの自由部分との間には、少なくとも選択的に前記ベースと当該自由部分とを固定するための第１のファスナが少なくとも設けられる。タブは前記カバーの固定部分の端部で前記ベースから外側へ延在することができ、選択的に前記タブと前記固定部分とを固定するために、前記タブと前記カバーの固定部分との間には、少なくとも第２のファスナが設けられている。
【００１１】
さらに、前記カバーの自由部分と前記タブとを選択的に固定するために、前記カバーの自由部分に形成された前記第１のファスナの部分は、前記タブに形成された前記第２のファスナの部分と互いに接合する。
【００１２】
好ましくは、前記カバーの自由部分で覆われている前記ベースの部分には、１本以上のリブが形成されている。
【００１３】
本考案のもう一つの実施形態においては、前記組み合わせ装置は箱の形状を呈し、前記カバーの一端は前記ベースに回動可能に接続され、前記ベースに接続された縁部に対応した前記カバーの縁部には、突出部が設けられ、前記突出部の高さは、前記カバーの厚さより大きい。
【００１４】
好ましくは、前記カバーが前記ベースにかぶせ合う場合、前記突出部を収納するように、前記ベースの対応した縁部には、くぼみが形成されることができる。さらに、前記カバーの外面には、木目が形成されることができる。
【００１５】
本考案のもう一つの実施形態においては、前記組み合わせ装置は箱の形状を呈し、一対以上の溝は前記ベースの外面に形成され、前記カバーの２つの側面を収納するために各対の溝は用いられている。さらに、前記カバーは、可撓性材料から作られている。
【００１６】
好ましくは、一対の切込みは前記カバーの内面で形成され、それぞれの切込みは、前記ベースに接続された縁部に隣接した前記カバーの角の位置から前記カバーの縁部に対応した中間位置へ延在し、前記切込みにおける前記カバーの厚さが当該カバーの他の部位の厚さより小さい。
【００１７】
上に述べた実施形態においては、外部から当該電子装置におけるボタン、スイッチ、および／または、ポートを操作するために、前記ベースと前記カバーとには、互いに位置合わせされた複数の開口部が設けられる。
【図面の簡単な説明】
【００１８】
【図１】第１実施形態が保護用ケーシングとして使用される状態が示される、本実用新案に係る携帯用手持ち式電子装置のための保護用ケーシングとスタンドとの組み合わせ装置における第１実施形態の斜視図である。
【図２】図１に示されていた第１実施形態の側面図である。
【図３】図１に示されていた第１実施形態をどのように展開するかを示す側面図である。
【図４】第１実施形態がスタンドとして使用される状態が示される、第１実施形態のもう一つの斜視図である。
【図５】第２実施形態が保護用ケーシングとして使用される状態が示される、本実用新案に係る携帯用手持ち式電子装置のための保護用ケーシングとスタンドとの組み合わせ装置における第２実施形態の斜視図である。
【図６】第２実施形態がスタンドとして使用される状態が示される、第２実施形態のもう一つの斜視図である。
【図７】図６に示されていた第２実施形態の側面図である。
【図８】第３実施形態が保護用ケーシングとして使用される状態が示される、本実用新案に係る携帯用手持ち式電子装置のための保護用ケーシングとスタンドとの組み合わせ装置における第３実施形態の斜視図である。
【図９】図８に示されていた第３実施形態の背面図である。
【図１０】第３実施形態がスタンドとして使用される状態が示される、第３実施形態の斜視図である。
【図１１】当該スタンドの一つの配置の形式が示されている、図１０に示されていた第３実施形態の斜視図である。
【図１２】第３実施形態がスタンドとして使用される状態が示され、当該スタンドの配置の形式が図１１に示された配置の形式と異なる、第３実施形態の斜視図である。
【考案を実施するための形態】
【００１９】
以下、当該技術分野における技術者が本実用新案の技術、特徴および利点をいっそうよく理解できるように、図面と結び付けて本実用新案における実施形態について詳細に説明する。本実用新案の典型的な実施形態および該実施形態に対する記述は、ただ意図を示すためのものであり、本実用新案が保護を求める範囲に対する制限を決して構成しない。
【００２０】
図１に示めされるように、本実用新案の携帯用手持ち式電子装置のための保護用ケーシングとスタンドとの組み合わせ装置の第１実施形態は、ポケットの形状を呈し、ベース１１と、カバー１２と、を含む。カバー１２の一部がベース１１に固定的に付着され、そして、カバー１２の他の部分はベース１１を覆い、しかも、ベース１１に対して自由に旋回可能になる。携帯用手持ち式電子装置を入れるように、ベース１１とカバー１２との間に内部空間が形成されている（図には示めされていない）。
【００２１】
図３に示めされるように、カバー１２の自由部分を不注意に開けるのを避けるために、１つあるいは複数の第１のファスナ１３がベース１１とカバー１２の自由部分との間で形成されることができる。第１のファスナ１３は、例えば、ボタン、ジッパー、マジックテープ（登録商標）、或いは他の適当な機構であってもよい。第１実施形態が保護用ケーシングとして使用される場合に、カバー１２の自由部分が開くことを防ぐように、カバー１２の第１のファスナ１３とベース１１上の第１のファスナ１３とを互いに接合し、これにより、内部空間に含まれた電子装置が外へ滑るのを防ぐ。
【００２２】
図１〜３に示めされるように、タブ１４はカバー１２の固定部分の端部でベース１１から外側へ延在し、そして、一つまたは複数の第２のファスナ１５はタブ１４とカバー１２の固定部分との間で形成されることができる。同様に、第２のファスナ１５は、例えば、ボタン、ジッパー、マジックテープ（登録商標）、或いは他の適当な機構であってもよい。第１実施形態１が保護用ケーシングとして使用される場合に、タブ１４の第２のファスナ１５とカバー１２の固定部分上の第２のファスナ１５とを互いに接合する。選択的にカバーの自由部分とタブとを固定するために、カバー１２の自由部分上に形成された第１のファスナ１３の部分は、タブ１４上に形成された第２のファスナ１５の部分と互いに接合することができる。
【００２３】
図３及び図４に示めされるように、第１実施形態１をスタンドに変える必要がある場合、第１のファスナ１３が外されており、そして、カバー１２の自由部分はベース１１に対して回動し、後者に対して開けられる。すぐ後で、第２のファスナ１５が外されており、そして、カバー１２の固定部分に対してタブ１４が開けられる。更にそれによって、カバー１２の固定部分とベース１１の対応する部分とがカバー１２の自由部分に向かって一緒に折り畳まれる。そして最後に、タブ１４に形成された第２のファスナ１５の部分は、カバー１２の自由部分上に形成された第１のファスナ１３の部分と互いに接合する。したがって、第１実施形態１がその縦の中心線に沿って形成された横断面には、少なくとも一つの三角形の構成が存在する。その結果として、安定したスタンドが形成されることができ、これにより、電子装置が支えられる。
【００２４】
電子装置がベース１１から滑ることを防ぐために、カバー１２の自由部分で覆われているベース１１に１本以上のリブ１６を形成することができる。
【００２５】
図５に示めされるように、本実用新案の携帯用手持ち式電子装置のための保護用ケーシングとスタンドとの組み合わせ装置の第２実施形態は、箱の形状を呈し、ベース２１とベース２１の一端に回動可能に接続されたカバー２２とを含む。カバー２２が枢軸、ヒンジまたは当該技術分野における公知とされる機構によりベース２１に接続されることができる。また、カバー２２はベース２１と一体的に形成することができ、そして、両者の接続部分は他の部分より薄く、これにより、カバー２２はベース２１に対して回動することができる。当該第２実施形態においては、図６及び図７に示めされるように、カバー２２は、ベース２１の裏面を完全に押し付けるように、ベース２１に対して完全に開けることができる。あるいは、カバー２２は、ベース２１の裏面を一部押し付けるために、ベース２１に対して一定の角度で回転できるように構成されただけである（図には示めされていない）。
【００２６】
図６に示めされるように、携帯用手持ち式電子装置を入れるように、ベース２１とカバー２２との間に内部空間が形成されている（図には示めされていない）。ベース２１に接続された縁部に対応するカバー２２の縁部には、突出部が形成されており、そして、ベース２１の対応する縁部には、くぼみ２５が形成されている。カバー２２をベース２１上に固定するために、そして、ベース２１に対してカバー２２が不意に開けられることを防ぐように、カバー２２はベース２１に固定されたとき、突出部２４がくぼみ２５内に挿入される。図５に示されているように、織地は、該組み合わせ装置の第２実施形態２を保持するとき、追加のグリップを提供するためにカバー２２の木表で形成される場合がある。当該組み合わせ装置の第２実施形態２をつかむ時に付加されたグリップを提供するように、カバー２２の表面上で一定の木目が形成されることができる。
【００２７】
図７に示めされるように、突出部２４の高さはカバー２２の厚さより大きい。第２実施形態をスタンドに変える必要がある場合、まず、ベース２１に対してカバー２２を開いて、そして、カバー２２をベース２１の裏面を押し付ける。すぐ後で、カバー２２をベース２１の縁部に接続し、並びに、突出部２４をテーブル又は他の平面に置く。これにより、第２実施形態がその横の中心線に沿って形成された横断面には、少なくとも一つの三角形の構成が存在する。その結果、安定したスタンドが形成されることができ、これにより、電子装置が支えられる。
【００２８】
外部から電子装置２３上のボタン、スイッチ、例えばイヤホンの差込口、充電するためのポート、及び拡張ポートなどのポート、スクロールキーボード、及び／又はカメラ開口部を操作するために、ベース２１及びカバー２２上には、互いに位置合わせされた複数の開口部２６が設けられることができる。
【００２９】
上述した第２実施形態２に類似である、本実用新案の携帯用手持ち式電子装置のための保護用ケーシングとスタンドとの組み合わせ装置の第３実施形態３はまた、箱の形状を呈し、ベース３１とカバー３２とが含まれている。第３実施形態３におけるベース３１とカバー３２との相互関係は、第２実施形態におけるベースとカバーとの相互関係に類似であるので、ここでは、重複するので説明しない。
【００３０】
図１０に示めされるように、携帯用手持ち式電子装置３３を入れるように、ベース３１とカバー３２との間にも内部空間が形成されている。
【００３１】
一対以上の溝３４はベース３１の外面に形成され、そして、カバーの２つの側面３６を収容するために各対の溝３４は用いられる。ついては、当該カバーは、折り曲げられるために、例えば、ゴム、プラスチックまたは他の適当な材料のような可撓性材料で作られている。例えば、図９に示めされるように、ベース３１の表面に形成された２対の溝３４が形成されている。
【００３２】
一対の切込み３５は当該カバー３２の内面に形成され、そして、それぞれの切込み３５は、ベース３１に接続された縁部に隣接した当該カバーの角の位置から当該カバーの縁部の中間位置へ延在し、そして、切込み３５における当該カバーの厚さが当該カバーの他の部位の厚さより小さい。これにより、当該カバーを切込み３５に沿って折り畳むことが容易である。
【００３３】
図１１及び図１２に示めされるように、ベース３１に対してカバー３２を開けた後、当該カバー３２を当該切込み３５に沿って折り畳み、次に、カバー３２の２つの側面３６をベース３１の外面上の任意の１対の溝３４に挿入する。最後に、カバー３２に対応したベース３１の縁部とベース３１に対応したカバーの縁部の中間位置とをテーブル又は他の平面に置く。これにより、第３実施形態がその横の中心線に沿って形成された横断面には、少なくとも一つの三角形の構成が存在する。その結果、安定したスタンドが形成されることができ、これにより、電子装置３３が支えられている。
【００３４】
１対以上の溝３４がベース３１の外面に形成される場合、カバー３２の側面は、異なった対の溝に挿入されることができる。これにより、異なった配置の形式を有するスタンドが形成される。
【００３５】
同じように、外部から電子装置３３上のボタン、スイッチ、例えば、イヤホンの差込口、充電するためのポート、及び拡張ポートなどのポート、スイッチ、スクロールキーボード、および／または、カメラ開口部を操作するため、ベース３１とカバー３２と上には、複数の互いに位置合わせされた複数の開口部３７が設けられることができる。  
【００３６】
考案の詳細な説明においてなされた具体的な実施態様または実施例は、あくまでも、本考案の技術内容を明らかにするものであって、そのような具体例にのみ限定して狭義に解釈されるべきものではなく、本考案の精神と次に記載する実用新案請求の範囲との範囲内で、当該技術分野における技術者はいろいろと変更して実施することができるものである。
【符号の説明】
【００３７】
１  第１実施形態
１１  ベース
１２  カバー
１３  第１のファスナ
１４  タブ
１５  第２のファスナ
１６  リブ
２  第２実施形態
２１  ベース
２２  カバー
２３  電子装置
２４  突出部
２５  くぼみ
２６  開口部
３  第３実施形態
３１  ベース
３２  カバー
３３  携帯用手持ち式電子装置
３４  一対以上の溝
３５  切込み
３６  側面
３７  開口部
【図１】
0003165434.tif 000003
【図２】
0003165434.tif 000004
【図３】
0003165434.tif 000005
【図４】
0003165434.tif 000006
【図５】
0003165434.tif 000007
【図６】
0003165434.tif 000008
【図７】
0003165434.tif 000009
【図８】
0003165434.tif 000010
【図９】
0003165434.tif 000011
【図１０】
0003165434.tif 000012
【図１１】
0003165434.tif 000013
【図１２】
0003165434.tif 000014